(57)【特許請求の範囲】
【請求項１】
第１のひも巻取部を回転駆動するための第１の回転軸と、
当該第１の回転軸と同軸上に配置され、第２のひも巻取部を回転駆動するための第２の回転軸と、
前記第１の回転軸と連結された第１のギヤと、
前記第２の回転軸と連結され、前記第１のギヤと向き合って当該第１のギヤと離間した位置に配置された第２のギヤと、
前記第１及び第２のギヤの間に配置され、当該第１及び第２のギヤとそれぞれ対応して噛合する第３及び第４のギヤを有するスライドギヤ部材と、
前記第１及び第２のギヤと前記スライドギヤ部材とを配置できるギヤ収納部を有するハンドルと、
前記ギヤ収納部の内面に形成された傾斜溝と、
前記スライドギヤ部材の外面に形成され、前記傾斜溝と係合して当該傾斜溝内をスライド移動可能な係合突部と、
を備え、
ハンドルの回転方向を変更することで、スライドギヤ部材を前記第１及び第２の回転軸の軸心方向にて移動させ、当該スライドギヤ部材のギヤと噛合するギヤを前記第１のギヤ又は前記第２のギヤのいずれか一方に切り換えて回転駆動することができるようにしたことを特徴とする巻取装置。
【請求項２】
第１のひも巻取部を回転駆動するための第１の回転軸と、
当該第１の回転軸と同軸上に配置され、第２のひも巻取部を回転駆動するための第２の回転軸と、
前記第１の回転軸と連結された第１のギヤと、
前記第２の回転軸と連結され、前記第１のギヤと向き合って当該第１のギヤと離間した位置に配置された第２のギヤと、
前記第１及び第２のギヤの間に配置され、当該第１及び第２のギヤとそれぞれ対応して噛合する第３及び第４のギヤを有するスライドギヤ部材と、
前記第１及び第２のギヤと前記スライドギヤ部材とを配置できるギヤ収納部を有するハンドルと、
前記スライドギヤ部材の外面に形成された傾斜溝と、
前記ギヤ収納部の内面に形成され、前記傾斜溝と係合して当該傾斜溝内をスライド移動可能な係合突部と、
を備え、
ハンドルの回転方向を変更することで、スライドギヤ部材を前記第１及び第２の回転軸の軸心方向にて移動させ、当該スライドギヤ部材のギヤと噛合するギヤを前記第１のギヤ又は前記第２のギヤのいずれか一方に切り換えて回転駆動することができるようにしたことを特徴とする巻取装置。
【請求項３】
前記係合突部は、等間隔で複数個形成されているものであることを特徴とする請求項１又は２に記載の巻取装置。
【請求項４】
前記係合突部は、前記傾斜溝の側面と接する平行な２辺を有する四角柱形状に形成されていることを特徴とする請求項１〜３の何れか一項に記載の巻取装置。
【請求項５】
前記第１〜第４のギヤは、円周上に配置された鋸歯状に形成されており、当該第１のギヤと第２のギヤの形成されている向きは逆方向であり、かつ、当該第３及び第４のギヤの形成されている向きは逆方向であり、前記第１の回転軸と第２の回転軸を異なる方向に回転駆動できるものであることを特徴とする請求項１〜４の何れか一項に記載の巻取装置。
【請求項６】
前記ギヤ収納部は有底円筒状に形成されており、
前記傾斜溝は、当該ギヤ収納部の開口部から底部に向けて当該ギヤ収納部の内面に形成されており、
当該ギヤ収納部の開口部側から前記傾斜溝内に配置された前記係合突部が前記傾斜溝内をスライド移動可能な範囲を規制するとともに、当該係合突部が前記傾斜溝から脱落しないようにするためのロック部材を備えていることを特徴とする請求項１、３〜５の何れか一項に記載の巻取装置。
【請求項７】
上記請求項１〜６の何れか一項に記載の巻取装置を備え、異なる部分に配置された２本の靴ひもを当該巻取装置によってそれぞれ個別に締め付けることができるようにしたことを特徴とする靴。
【発明の詳細な説明】
【技術分野】
【０００１】
本発明は、巻取装置及びそれを備えた靴に関するものであって、より詳細には、スキー、スノーボード、スケート、山登り、バイクの乗車を行う際などに使用するブーツなどの靴ひも、又は、鞄類のひもなどを締め付けるのに適した巻取装置及びそれを備えた靴に関するものである。
【背景技術】
【０００２】
従来、スキー、スノーボード、スケートなどに使用するブーツの靴ひもを締め付けるために、ハンドル（円形ノブ）を回転することによって靴ひもを巻き付けることができる巻取装置が提案されている（特許文献１〜５）。
【０００３】
そして、スノーボード用のブーツなどにおいては、靴ひもによって靴本体の甲部と靴本体の足首部分より上の部分の締め付け具合を別々に調節したいという要望があり、そのような２系統の靴ひもを個別に締め付けるためには、上記特許文献に記載の巻取装置においては、２個の巻取装置を靴に取り付ける必要がある。
【０００４】
そこで、１個の締付装置で２系統の靴ひもを別々に締め付けることができる締め付け装置が提案されている（特許文献６〜９）。
しかしながら、特許文献６に記載の巻取装置は、２個の巻取部の回転軸が同軸上に配置されていないため、装置全体が大型化するという課題がある。
また、特許文献７に記載の巻取装置は、ハンドルによってプーリーを押さえることによってプーリーによるひもの巻き取りをコントロールしており、個々のひもの巻き取りに際して巻取装置の作動状況を把握しにくいという課題がある。
【０００５】
また、特許文献８及び特許文献９に記載の締付装置においては、ハンドル自体に形成したギヤの位置を上下に変更してハンドルの上下に配置したギヤを駆動する構成を採用しており、ハンドルをギヤに押し付けることを気にしながらハンドルを回転させる必要があった。
【０００６】
さらに、特許文献８及び特許文献９に記載の巻取装置においては、そのようなダイヤルの押さえ付けが弱いと、ダイヤルが空回りしてしまうことがあり、靴ひもの締付具合をスムーズに調整できない場合があるという問題があった。
【先行技術文献】
【特許文献】
【０００７】
【特許文献１】特許第４１７１７７４号公報
【特許文献２】特許第４５１４３８３号公報
【特許文献３】特開２００７−３３０８０８号公報
【特許文献４】特開２０１０−１４８９２７号公報
【特許文献５】特許第４５３８８３６号公報
【特許文献６】特開昭６３−８９１０３号公報
【特許文献７】米国特許第５３２５６１３号明細書
【特許文献８】特開２０１２−１２０６７８号公報
【特許文献９】特開２０１２−１２０６７９号公報
【発明の概要】
【発明が解決しようとする課題】
【０００８】
そこで、本発明が解決しようとする課題は、従来の巻取装置においては、小型化に適していないこと、巻取部の作動状況を把握しにくいこと、ダイヤルを正しく操作して回転させないとひも巻取部を正しく回転させることができないことがあるということであり、本発明の目的は、小型で部品点数も少なく、強度及び耐久性にも優れ、ハンドルの回転方向を変更するという単純明快な操作を行うだけで、自動的に２つのひも巻取部を切り換えて個別に回転操作することができる巻取装置を提供することにある。
【課題を解決するための手段】
【０００９】
本発明は、「第１のひも巻取部を回転駆動するための第１の回転軸と、当該第１の回転軸と同軸上に配置され、第２のひも巻取部を回転駆動するための第２の回転軸と、前記第１の回転軸と連結された第１のギヤと、前記第２の回転軸と連結され、前記第１のギヤと向き合って当該第１のギヤと離間した位置に配置された第２のギヤと、前記第１及び第２のギヤの間に配置され、当該第１及び第２のギヤとそれぞれ対応して噛合する第３及び第４のギヤを有するスライドギヤ部材と、前記第１及び第２のギヤと前記スライドギヤ部材とを配置できるギヤ収納部を有するハンドルと、前記ギヤ収納部の内面に形成された傾斜溝と、前記スライドギヤ部材の外面に形成され、前記傾斜溝と係合して当該傾斜溝内をスライド移動可能な係合突部と、を備え、
ハンドルの回転方向を変更することで、スライドギヤ部材を前記第１及び第２の回転軸の軸心方向にて移動させ、当該スライドギヤ部材のギヤと噛合するギヤを前記第１のギヤ又は前記第２のギヤのいずれか一方に切り換えて回転駆動することができるようにした巻取装置。」を最も主要な特徴とするものである。
【００１０】
また、本発明は、「第１のひも巻取部を回転駆動するための第１の回転軸と、当該第１の回転軸と同軸上に配置され、第２のひも巻取部を回転駆動するための第２の回転軸と、前記第１の回転軸と連結された第１のギヤと、前記第２の回転軸と連結され、前記第１のギヤと向き合って当該第１のギヤと離間した位置に配置された第２のギヤと、前記第１及び第２のギヤの間に配置され、当該第１及び第２のギヤとそれぞれ対応して噛合する第３及び第４のギヤを有するスライドギヤ部材と、前記第１及び第２のギヤと前記スライドギヤ部材とを配置できるギヤ収納部を有するハンドルと、前記スライドギヤ部材の外面に形成された傾斜溝と、前記ギヤ収納部の内面に形成され、前記傾斜溝と係合して当該傾斜溝内をスライド移動可能な係合突部と、を備え、
ハンドルの回転方向を変更することで、スライドギヤ部材を前記第１及び第２の回転軸の軸心方向にて移動させ、当該スライドギヤ部材のギヤと噛合するギヤを前記第１のギヤ又は前記第２のギヤのいずれか一方に切り換えて回転駆動することができるようにした巻取装置。」である。
【００１１】
本発明の巻取装置において、前記係合突部は、等間隔で複数個形成されているものであってもよい。
また、本発明の巻取装置において、前記係合突部は、前記傾斜溝の側面と接する平行な２辺を有する四角柱形状に形成されているものであってもよい。
本発明の巻取装置において、前記第１〜第４のギヤは、円周上に配置された鋸歯状に形成されており、当該第１のギヤと第２のギヤの形成されている向きは逆方向であり、かつ、当該第３及び第４のギヤの形成されている向きは逆方向であり、前記第１の回転軸と第２の回転軸を異なる方向に回転駆動できるものであってもよい。
【００１２】
本発明の巻取装置において、前記ギヤ収納部は有底円筒状に形成されており、前記傾斜溝は、当該ギヤ収納部の開口部から底部に向けて当該ギヤ収納部の内面に形成されており、当該ギヤ収納部の開口部側から前記傾斜溝内に配置された前記係合突部が前記傾斜溝内をスライド移動可能な範囲を規制するとともに、当該係合突部が前記傾斜溝から脱落しないようにするためのロック部材を備えているものであってもよい。
【００１３】
また、本発明は、上記の巻取装置を備え、異なる部分に配置された２本の靴ひもを当該巻取装置によってそれぞれ個別に締め付けることができるようにした靴である。
【発明の効果】
【００１４】
上記のように構成した本発明の巻取装置においては、ハンドルの回転方向を変更することで、前記ギヤ収納部の内面に形成された傾斜溝内を、前記スライドギヤ部材の外面に形成した係合突部が前記第１及び第２の回転軸の軸心方向に沿ってスライド移動する方向が変更され、当該スライドギヤ部材のギヤと噛合するギヤを前記第１のギヤ又は前記第２のギヤのいずれか一方に自動的に切り換えることができ、従って、ハンドルの回転方向を変更するという単純明快な操作のみによって前記第１又は第２の回転軸を選択的に回転駆動することができ、優れた操作性を実現できる。
【００１５】
本発明の巻取装置においては、前記スライドギヤ部材の外面に形成された傾斜溝内を、前記ギヤ収納部の内面に形成した係合突部が第１及び第２の回転軸の軸心方向に沿ってスライド移動するようにした場合においても、当該スライドギヤ部材のギヤと噛合するギヤを前記第１のギヤ又は前記第２のギヤのいずれか一方に自動的に切り換えることができ、ハンドルの回転方向を変更するという単純明快な操作のみによって前記第１又は第２の回転軸を選択的に回転駆動することができ、優れた操作性を実現できる。
【００１６】
本発明の巻取装置において、前記係合突部が等間隔で複数個形成されている場合には、スライドギヤ部材をバランス良くスムーズにスライド移動させることができるとともに、係合突部と傾斜溝に加わる応力を分散でき、大きな駆動力を発揮でき、かつ、各部の強度及び耐久性を向上させることができる。
また、本発明の巻取装置において、前記係合突部が、前記傾斜溝の側面と接する平行な２辺を有する四角柱形状に形成されているものである場合には、係合突部と傾斜溝の側面との接触面積が増大するとともに、係合突部の断面積を大きくすることができ、係合突部の強度及び耐久性を向上させ、装置全体の信頼性を高めることができる。
【００１７】
本発明の巻取装置において、前記第１〜第４のギヤが、円周上に配置された鋸歯状に形成されており、当該第１のギヤと第２のギヤの形成されている向きが逆方向であり、かつ、当該第３及び第４のギヤの形成されている向きが逆方向であり、前記第１の回転軸と第２の回転軸を異なる方向に回転駆動できるものである場合には、第１〜第４のギヤが回転軸周囲の限られた狭い空間において互いに強固に噛み合うことができ、ハンドルによる大きな回転力を回転軸に無理なく、かつ、無駄なく伝達することが可能となる。
また、ギヤが回転駆動される際に、ギヤ同士が一旦噛み合えば互いに摺動する部分がなく、ギヤの耐久性を高めることができる。
【００１８】
本発明の巻取装置において、前記ギヤ収納部が有底円筒状に形成されており、前記傾斜溝が、当該ギヤ収納部の開口部から底部に向けて当該ギヤ収納部の内面に形成されており、当該ギヤ収納部の開口部側から前記傾斜溝内に配置された前記係合突部が前記傾斜溝内をスライド移動可能な範囲を規制するとともに、当該係合突部が前記傾斜溝から脱落しないようにするためのロック部材を備えているものとした場合には、装置の動作安定性及び取り扱い性を向上させることができる。
【００１９】
本発明の巻取装置を備えた靴においては、ハンドルの回転方向を変更するという単純明快で簡単な動作を加えるだけで、当該ハンドルによる駆動力を前記第１の回転軸又は第２の回転軸に自動的に振り分けることができ、ハンドルによる靴ひもの巻取操作が煩雑となることはない。
【図面の簡単な説明】
【００２０】
【図１】図１は本発明の巻取装置の各構成部品を示す分解斜視図及び断面図である。
【図２】図２は本発明の巻取装置の断面図である。
【図３】図３は本発明の巻取装置の各構成部品を示す側面図及び斜視図である。
【図４】図４は本発明の巻取装置のハンドルの平面図及びハンドル内の様子を示す断面図である。
【図５】図５は本発明の巻取装置の外観及びギヤ同士の噛み合う様子を示す側面図である。
【図６】図６は本発明の巻取装置のひも巻取部によるひもの締め付け状態を解除するための内部機構を示す図である。
【図７】図７は本発明の巻取装置の他の実施形態を示す分解斜視図である。
【図８】図８は本発明の巻取装置を備えたスノーボード用ブーツの正面図である。
【発明を実施するための形態】
【００２１】
本発明は、好適には、「第１のひも巻取部を回転駆動するための第１の回転軸と、当該第１の回転軸と同軸上に配置され、第２のひも巻取部を回転駆動するための第２の回転軸と、前記第１の回転軸と連結された第１のギヤと、前記第２の回転軸と連結され、前記第１のギヤと向き合って当該第１のギヤと離間した位置に配置された第２のギヤと、前記第１及び第２のギヤの間に配置され、当該第１及び第２のギヤとそれぞれ対応して噛合する第３及び第４のギヤを有するスライドギヤ部材と、前記第１及び第２のギヤと前記スライドギヤ部材とを配置できるギヤ収納部を有するハンドルと、前記ギヤ収納部の内面に形成された傾斜溝と、前記スライドギヤ部材の外面に形成され、前記傾斜溝と係合して当該傾斜溝内をスライド移動可能な係合突部と、を備え、
ハンドルの回転方向を変更することで、スライドギヤ部材を前記第１及び第２の回転軸の軸心方向にて移動させ、当該スライドギヤ部材のギヤと噛合するギヤを前記第１のギヤ又は前記第２のギヤのいずれか一方に切り換えて回転駆動することができるようにした巻取装置。」であって、以下において説明する実施例の形態などにより適宜具体化することができる。
【００２２】
さらに、本発明は、上記のような巻取装置を備えた靴であって、ハンドルの回転方向を変更するという単純明快な操作のみによって、異なる靴ひもの巻取操作を容易に行うことができる靴である。
以下、本発明の巻取装置を具体化した一実施形態について説明する。
【００２３】
図１〜図６は本発明の一実施形態の巻取装置１０を示し、図８は巻取装置１０を備えたスノーボード用ブーツＳを示す図である。
このスノーボード用ブーツＳは、一般的なスノーボード用ブーツと同様に、甲部の上面から足首部乃至すね部の前面に形成された開口１を内側から塞ぐように配置されたタング２を有しており、当該タング２の上部前面に巻取装置１０を備えている。
【００２４】
前記開口１の縁には複数対の靴ひもガイド３が向き合うように固定され、また、前記タング２にも靴ひもＷ１，Ｗ２を案内する交差ガイド部材４が複数個固定されている。
この交差ガイド部材４は、靴ひもＷ１，Ｗ２同士が直接擦れ合って切れてしまうことを防止したり、靴ひもＷ１，Ｗ２と前記タング２とが擦れ合ってタング２に傷が付くことを防止することができるものである。
【００２５】
前記靴ひもガイド３及び交差ガイド部材４には、細い金属線を束ねたワイヤー状の２本の靴ひもＷ１，Ｗ２が通されてスノーボード用ブーツＳの異なる部分を個別に締め付けることができるようになっている。
具体的には、第１の靴ひもＷ１がスノーボード用ブーツＳの甲部〜足首部付近を締め付け、第２の靴ひもＷ２がスノーボード用ブーツＳのすね部を締め付けることができるようになっている。
【００２６】
次に、本発明の一実施形態の前記巻取装置１０について説明する。
この巻取装置１０は、内部に前記第１の靴ひもＷ１を巻き取るための第１のひも巻取部Ｄ１と、前記第２の靴ひもＷ２を巻き取るための第２のひも巻取部Ｄ２とを備えている。
これらのひも巻取部Ｄ１，Ｄ２は、具体的にはフランジを両端に有する円筒状のドラム又はリールである。
【００２７】
前記第１のひも巻取部Ｄ１は、図１において斜線を付して表されているように、第１の回転軸１１の基端部において当該第１の回転軸１１によって回転駆動され、前記第２のひも巻取部Ｄ２は、図２において斜線を付して表されているように、前記第１の回転軸１１の中央部付近に回転自在に外嵌された第２の回転軸１２によって回転駆動されるようになっている。
従って、前記第２の回転軸１２は、前記第１の回転軸１１と同軸上に配置され、それら第１の回転軸１１と第２の回転軸１２により、前記第１のひも巻取部Ｄ１と第２のひも巻取部Ｄ２が独立して別個に回転駆動されるようになっている。
【００２８】
さらに、前記巻取装置１０の後記するハンドル５０の回転方向を切り換えて回転操作することで、ハンドル５０による駆動力を自動的に振り分け、第１のひも巻取部Ｄ１と、第２のひも巻取部Ｄ２とによって、前記第１の靴ひもＷ１及び第２の靴ひもＷ２をそれぞれ別個に巻き取ることができるようになっている。
【００２９】
また、前記巻取装置１０の上部に設けた解除スイッチ１７を操作することで、当該解除スイッチ１７に連動する２組のラチェット爪１８とラチェットギヤ１９との係合状態を解除し、前記２本の靴ひもＷ１，Ｗ２による締め付けを同時に解除することができるようになっている。
ここで、図６の左側に示す解除スイッチ１７及びラチェット爪１８の状態が、靴ひもＷ１，Ｗ２を締め付け可能な状態であり、図６の右側に示す解除スイッチ１７及びラチェット爪１８の状態が、靴ひもＷ１，Ｗ２の締め付けを解除した状態である。
【００３０】
前記第１の回転軸１１の先端部（外端部）１１ａは、外面六角柱状に形成されており、当該先端部１１ａには、円盤状の第１のギヤ部材２０の中心に形成された円筒状部２１に透設された六角穴２０ａが嵌合することで、当該第１の回転軸１１の先端部１１ａに第１のギヤ部材２０が連結固定できるようになっている。
この第１のギヤ部材２０には、その内面側において円周上に放射状に並んで配置された鋸歯状の第１のギヤＧ１が形成されている。
【００３１】
また、前記第２の回転軸１２の先端部（外端部）１２ａは、外面六角柱状に形成されており、当該先端部１２ａには、円盤状の第２のギヤ部材３０の中心に透設された六角穴３０ａが嵌合することで、当該第２の回転軸１２の先端部１２ａに第２のギヤ部材３０が連結固定できるようになっている。
この第２のギヤ部材３０には、その外面側において円周上に放射状に並んで配置された鋸歯状の第２のギヤＧ２が形成されている。
ここで、前記第１のギヤＧ１と第２のギヤＧ２とは、互いに離間しており、その鋸歯の形成されている向きは、前記巻取装置１０としての組付状態において、逆方向となっている。
【００３２】
前記第１のギヤ部材２０と、第２のギヤ部材３０との間には、前記第１及び第２のギヤＧ１，Ｇ２とそれぞれ対応して噛合する第３のギヤＧ３及び第４のギヤＧ４を有する円盤状のスライドギヤ部材４０が配置されている。
このスライドギヤ部材４０は、その中心部に透設された円形状の軸孔４１が前記第１の回転軸１１の先端部１１ａにおいて回動自在かつスライド移動自在に遊挿されている。
なお、この実施形態では、前記スライドギヤ部材４０は、第１のギヤ部材２０の中心に形成された円筒状部２１によって軸支されるようになっている。
【００３３】
さらに、前記スライドギヤ部材４０の前記第３及び第４のギヤＧ３，Ｇ４の形成されている向きは逆方向であり、前記第１の回転軸１１と第２の回転軸１２を異なる方向に回転駆動できるようになっている。
このため、前記スライドギヤ部材４０を巻取装置１０として組み付ける際には、当該スライドギヤ部材４０の表裏の向きを考慮する必要がなく、組立の作業性が向上するようになっている。
また、前記第３及び第４のギヤＧ３，Ｇ４の個々の鋸歯ｇが形成されている位置は、互い違いとなるようにピッチがズレるように設定されており、円盤状のスライドギヤ部材４０の厚みがなるべく均一化して強度が部分的に低下しないようになっている。
【００３４】
前記スライドギヤ部材４０の外周面には、互いに９０度離間した位置に計４個の係合突部４５が突出形成されている。
この係合突部４５は、本実施形態においては、後述する傾斜溝５５の側面と接する平行な２辺と、スライドギヤ部材４０の軸心方向に沿った２辺とを有する四角柱形状（断面平行四辺形状）に形成され、強度及び耐摩耗性を高めるようになっている。
【００３５】
前記第１及び第２のギヤ部材２０，３０と前記スライドギヤ部材４０は、外観形状が円盤状のハンドル５０に形成された有底円筒状のギヤ収納部５１内に配置されている。
そのギヤ収納部５１の内面には、その内周面に沿った螺旋を形成するように４本の傾斜溝５５が形成され、前記係合突部４５が当該傾斜溝５５内をスライド移動できるように係合している。
【００３６】
また、前記傾斜溝５５は、前記ギヤ収納部５１の内側に形成された開口部から底部に向けて当該ギヤ収納部５１の内面に形成されており、さらに、当該ギヤ収納部５１の開口部側から前記傾斜溝５５内に配置された前記係合突部４５が前記傾斜溝５５内をスライド移動可能な範囲を規制するとともに、当該係合突部４５が前記傾斜溝５５から脱落しないようにするためのロック部材６６を備えている。
【００３７】
本実施形態において、このロック部材６６は、ハンドル５０の外面側に係合して当該ハンドル５０と一体化する蓋部材６０の裏面から突出形成された４本の脚が前記傾斜溝５５を遮断するように横切ることで具体化されている。
また、前記脚の先端部は、ハンドル５０の開口部周縁に形成した穴部５６に係合し、ハンドル５０内周面における前記脚（ロック部材６６）の取り付け状態を安定させるようにしている。
なお、本実施形態のようにロック部材６６をハンドル５０とは別体のものとすることで、ハンドル５０の成形時において、ハンドル５０を回転させることで、金型からハンドル５０を簡単に抜くことができる。
【００３８】
上記構成により、図４に示すように、前記傾斜溝５５が回転軸１１，１２の軸心方向に沿って形成されている高さ（長さ）ｔ１のうち、前記係合突部４５が前記傾斜溝５５内を移動できる高さ（距離）即ち前記スライドギヤ部材４０がスライド移動できる距離は、前記高さｔ１から、ハンドル５０の開口部からロック部材６６が配置されている位置までの高さｔ２を引いた範囲（ｔ１−ｔ２）となる。
また、前記ギヤＧ１〜Ｇ４の個々の鋸歯ｇの高さは等しくなっており、前記スライドギヤ部材４０がスライド移動する場合の２つの限界位置において、前記スライドギヤ部材４０と第１のギヤ部材２０又は第２のギヤ部材３０とは互いに最大の接触面積を得て密着するようになっている（図５参照）。
【００３９】
上記のとおりギヤＧ１〜Ｇ４を配置する構成により、ハンドル５０の回転方向を変更するという単純明快な操作のみによって、スライドギヤ部材４０を前記第１及び第２の回転軸１１，１２の軸心方向にて自動的に移動させ、当該スライドギヤ部材４０のギヤと噛合するギヤを前記第１のギヤＧ１又は前記第２のギヤＧ２のいずれか一方に切り換えて個別に回転駆動することができるようになっている。
従って、第１の靴ひもＷ１及び第２の靴ひもＷ２を締め付ける際には、ハンドル５０を保持したまま正逆の異なる方向に交互に回転させることにより、ハンドル５０から手を離すことなく、また、ハンドル５０引いたり押したりしてハンドル５０の位置を変更することなく、連続的かつ速やかに第１の靴ひもＷ１及び第２の靴ひもＷ２を締め付けることもできる。
【００４０】
ここで、図５の左側に示すハンドル５０及びギヤＧ１〜Ｇ４の状態が、ハンドル５０を左方向に回すことによってギヤＧ１とギヤＧ３が噛合し、第１の回転軸１１及び第１のひも巻取部Ｄ１が回転駆動される場合を示し、図５の右側に示すハンドル５０及びギヤＧ１〜Ｇ４の状態が、ハンドル５０を右方向に回すことによってギヤＧ２とギヤＧ４が噛合して第２の回転軸１２及び第２のひも巻取部Ｄ２が回転駆動される場合を示している。
【００４１】
なお、前記第１の回転軸１１の先端部１１ａには、ボルト穴１１ｂが形成されており、当該ボルト穴１１ｂにボルト１１ｃが固定されることで、第１のギヤ部材２０などが前記第１の回転軸１１及び第２の回転軸１２から外れないようになっている。
【００４２】
本発明の巻取装置１０及びスノーボード用ブーツＳは、従来公知の鋳造技術、樹脂成形技術、縫製技術などにて容易に製造可能であり、前記巻取装置１０は、前記各部品を図３などに示すように配置して順次組み付けることで容易に製造可能である。
【００４３】
なお、ギヤＧ１〜Ｇ４の個々の鋸歯ｇは、断面直角三角形状の三角柱を横にした形状であって、他のギヤと噛合する一側面がギヤ形成面と直交しており、さらに、前記第１及び第２のギヤ部材２０，３０及びスライドギヤ部材４０の軸心を中心としてそれらを放射状に等間隔で配置して設けている。
また、本実施形態においては、ギヤＧ１〜Ｇ４をガラス繊維を含むナイロン樹脂から製造し、第１及び第２のひも巻取部Ｄ１，Ｄ２を亜鉛ダイキャスト、ラチェット爪１８をステンレスから製造している。
【００４４】
上記のように構成された巻取装置１０を備えたスノーボード用ブーツＳは、各靴ひもＷ１，Ｗ２の巻取量を個別に調節し、各靴ひもＷ１，Ｗ２による締め付け具合を独立して変更することができるばかりか、巻取装置１０のハンドル５０を持った手を離すことなく、ブーツＳの異なる部分を締め付けるための２本の靴ひもＷ１，Ｗ２を速やかに巻き取ってそれらの靴ひもＷ１，Ｗ２を締め付けることができる。
【００４５】
図７は、本発明の他の実施形態の巻取装置において具体化して用いることができるスライドギヤ部材１４０と、ハンドル１５０を示す図であり、第３及び第４のギヤＧ３，Ｇ４を両端面に有する円筒状の当該スライドギヤ部材１４０の外面に傾斜溝１４７を形成し、ハンドル１５０に形成した有底円筒状のギヤ収納部１５１の内面に複数個の係合突部１５７を形成し、前記スライドギヤ部材１４０が第１及び第２の回転軸１１，１２の軸心方向に沿ってスライド移動できるようにしたものである。
【００４６】
この場合においても、ハンドル１５０を回転させる方向を変更するだけで、スライドギヤ部材１４０のギヤＧ３，Ｇ４と噛合するギヤを前記第１のギヤＧ１又は前記第２のギヤＧ２のいずれか一方に自動的に切り換えることができ、ハンドル１５０の回転方向を変更するという単純明快な操作のみによって前記第１又は第２の回転軸１１，１２を選択的に回転駆動することができる。
但し、この実施形態においては、スライドギヤ部材１４０及びハンドル１５０の軸心方向の長さが大きくなる。
【００４７】
なお、本明細書中において、ハンドル５０，１５０とは、スライドギヤ部材４０，１４０を収納でき、ギヤＧ１〜Ｇ４を回転駆動するための操作部として機能するものであれば特に外観形状が限定されるものではなく、円盤状、楕円状又は多角形状のダイヤルの他、板状、三叉状、十字状、星形などのつまみ又はレバーであってもよい。
また、係合突部４５，１５７の形状は、強度及び耐久性の問題が無ければ、円柱状、楕円柱状、断面平行四辺形以外の四角柱形状などであってもよい。
さらに、係合突部４５，１５７の個数及び傾斜溝５５，１４７の本数についても、例えば２〜６程度の範囲で適宜変更することも可能であり、本発明の範囲に含まれる。
また、ギヤＧ１〜Ｇ４の噛み合わせを切り換えるために必要なスライドギヤ部材４０，１４０のスライド移動量に応じて傾斜溝５５，１４７の傾斜角度を適宜変更して実施してもよい。
【００４８】
本発明は上記各実施形態のように配線した靴ひもを締め付けるための巻取装置に限定されるものではなく、靴の甲部の異なる部分を締め付ける２系統の靴ひもを巻き取る巻取装置に具体化して実施したり、靴上部の異なる部分を締め付ける２系統の靴ひもを巻き取る巻取装置に具体化したり、靴のインナーブーツを締め付けるための靴ひもを締め付けるようにして具体化して実施してもよい。
【００４９】
なお、本発明を具体化する場合に、ギヤ（Ｇ１〜Ｇ４の少なくとも１つ、又は、Ｇ１及びＧ２など）の個々の鋸歯ｇの間隔（ピッチ）を密着させたり、傾斜溝５５，１４７の傾斜角度を軸心方向に近くなるような大きなものとする（例えば、実施形態における約２０度の傾斜角度を６０度前後とする）ことで、ハンドル５０，１５０の遊びを減少させることもできる。
また、上記実施形態において、前記第１及び第２の靴ひもＷ１，Ｗ２は、編み込まれた金属製のワイヤーロープのように摩擦係数の低いものを好適に使用することができるが、合成樹脂が被覆されたワイヤー（コーティングロープ）を使用してもよい。
【００５０】
本発明は上記各実施形態に限定されるものではなく、スキー、スケート、山登り、バイクの乗車などに用いるブーツの他、鞄類などに用いるひもを締め付けるために、本発明の巻取装置を用いて実施してもよい。
さらに、本発明の趣旨を逸脱しない範囲で巻取装置の各部の材質、形状、寸法、強度、設置位置、厚さ、大きさ、数などを適宜変更して実施してもよい。
【産業上の利用可能性】
【００５１】
本発明は、スキー、スノーボード、スケート、山登り、バイクの乗車などに用いるブーツの他、鞄類などに用いられているひもを締め付けるための巻取装置及びそれを備えた靴として好適に利用可能である。
【符号の説明】
【００５２】
Ｓ      スノーボード用ブーツ
１    開口
２    タング（タン）
３    靴ひもガイド
４    交差ガイド部材
１０    巻取装置
１１    第１の回転軸
１１ａ  先端部
１１ｂ  ボルト穴
１１ｃ  ボルト
１２    第２の回転軸
１２ａ  先端部
１７    解除スイッチ
１８    ラチェット爪
１９    ラチェットギヤ
２０    第１のギヤ部材
２０ａ  六角穴
２１    円筒状部
３０    第２のギヤ部材
３０ａ  六角穴
４０    スライドギヤ部材
４１    軸孔
４５    係合突部
５０    ハンドル
５１    ギヤ収納部
５５    傾斜溝
５６    穴部
６０    蓋部材
６６    ロック部材
１４０  スライドギヤ部材
１４７  傾斜溝
１５０  ハンドル
１５１  ギヤ収納部
１５７  係合突部
Ｄ１    第１のひも巻取部
Ｄ２    第２のひも巻取部
Ｇ１    第１のギヤ
Ｇ２    第２のギヤ
Ｇ３    第３のギヤ
Ｇ４    第４のギヤ
ｇ    個々の鋸歯
ｔ１    高さ
ｔ２    高さ
Ｗ１    第１の靴ひも
Ｗ２    第２の靴ひも
【図１】
0006450584.tif 000002
【図２】
0006450584.tif 000003
【図３】
0006450584.tif 000004
【図４】
0006450584.tif 000005
【図５】
0006450584.tif 000006
【図６】
0006450584.tif 000007
【図７】
0006450584.tif 000008
【図８】
0006450584.tif 000009